(57)【要約】  １つ以上の発光要素から光を発する方法であって、当該方法は、第１の明所視光の期間を発するステップ、その後、第１の暗所視光の期間を発するステップ、その後、第２の明所視光の期間を発するステップ、及び、その後、第２の暗所視光の期間を発するステップ、を含み、第１の明所視光の期間から第１の暗所視光の期間への第１の遷移は、第２の明所視光の期間から第２の暗所視光の期間への第２の遷移と比べて異なり、及び／又は、第１の暗所視光の期間から第２の明所視光の期間への第３の遷移は、第２の暗所視光の期間から第１の明所視光の期間若しくは第３の明所視光の期間への第４の遷移と比べて異なる、方法。【特許請求の範囲】
【請求項１】
１つ以上の発光要素から光を発する方法であって、各発光要素は、それぞれの光を発するように制御可能であり、当該方法は、
第１の明所視光の期間を発するステップ、
その後、第１の暗所視光の期間を発するステップ、
その後、第２の明所視光の期間を発するステップ、及び
その後、第２の暗所視光の期間を発するステップ、
を含み、前記第１の明所視光の期間から前記第１の暗所視光の期間への第１の遷移は、前記第２の明所視光の期間から前記第２の暗所視光の期間への第２の遷移と比べて異なり、及び／又は、前記第１の暗所視光の期間から前記第２の明所視光の期間への第３の遷移は、前記第２の暗所視光の期間から前記第１の明所視光の期間若しくは第３の明所視光の期間への第４の遷移と比べて異なり、
明所視光及び暗所視光は、それぞれ人の明所視範囲及び暗所視範囲に対応する、又は、明所視光及び暗所視光は、それぞれ動物の明所視範囲及び暗所視範囲に対応する、方法。
【請求項２】
前記第１の遷移は、第１の遷移期間にわたって生じ、前記第２の遷移は、第２の、異なる遷移期間にわたって生じ、及び／又は、前記第３の遷移は、第３の遷移期間にわたって生じ、前記第４の遷移は、第４の、異なる遷移期間にわたって生じる、請求項１に記載の方法。
【請求項３】
前記第２の遷移期間は、前記第１の遷移期間よりも大きい、及び／又は、前記第４の遷移期間は、前記第３の遷移期間よりも大きい、請求項２に記載の方法。
【請求項４】
前記第１の遷移は、第１の強度プロファイルの光を含み、前記第２の遷移は、第２の、異なる強度プロファイルの光を含む、請求項１乃至３のいずれか一項に記載の方法。
【請求項５】
前記第１の遷移は、第１のスペクトルプロファイルの光を含み、前記第２の遷移は、第２の、異なるスペクトルプロファイルの光を含む、請求項１乃至４のいずれか一項に記載の方法。
【請求項６】
当該方法は、光サイクルを繰り返すステップを含み、繰り返される前記光サイクルは、少なくとも前記第１の明所視光の期間及び前記第２の明所視光の期間並びに前記第１の暗所視光の期間及び前記第２の暗所視光の期間を含む連続する明所視光及び暗所視光の期間を含む、請求項１乃至５のいずれか一項に記載の方法。
【請求項７】
前記第２の暗所視光の期間は、光サイクルごとに一回発せられる、請求項６に記載の方法。
【請求項８】
前記光サイクルは、一日の期間にわたって発せられる、請求項６又は７に記載の方法。
【請求項９】
前記第２の暗所視光の期間は、前記第１の暗所視光の期間、並びに／又は、前記第１の明所視光の期間及び前記第２の明所視光の期間よりも大きい、請求項１乃至８のいずれか一項に記載の方法。
【請求項１０】
前記期間は、エンドユーザによってプログラム可能である、請求項１乃至９のいずれか一項に記載の方法。
【請求項１１】
明所視光及び暗所視光は、それぞれ人の明所視範囲及び暗所視範囲に対応し、それぞれ３０ルクス以上の照度及び数ルクス以下の照度を提供する、請求項１乃至１０のいずれか一項に記載の方法。
【請求項１２】
明所視光及び暗所視光は、それぞれ鶏の明所視範囲及び暗所視範囲に対応する、請求項１乃至１０のいずれか一項に記載の方法。
【請求項１３】
１つ以上の発光デバイスから発せられる光は、光学的な光である、請求項１乃至１２のいずれか一項に記載の方法。
【請求項１４】
１つ以上の発光要素を含む照明システムであって、各発光要素は、それぞれの光を発するように制御可能であり、
第１の明所視光の期間を発する、
その後、第１の暗所視光の期間を発する、
その後、第２の明所視光の期間を発する、及び
その後、第２の暗所視光の期間を発する、
ように構成され、前記第１の明所視光の期間から前記第１の暗所視光の期間への第１の遷移は、前記第２の明所視光の期間から前記第２の暗所視光の期間への第２の遷移と比べて異なり、及び／又は、前記第１の暗所視光の期間から前記第２の明所視光の期間への第３の遷移は、前記第２の暗所視光の期間から前記第１の明所視光の期間若しくは第３の明所視光の期間への第４の遷移と比べて異なり、
明所視光及び暗所視光は、それぞれ人の明所視範囲及び暗所視範囲に対応する、又は、明所視光及び暗所視光は、それぞれ動物の明所視範囲及び暗所視範囲に対応する、照明システム。
【請求項１５】
コンピュータ可読ストレージに具現化され、制御システムの１つ以上の処理ユニットで実行される場合、請求項１乃至１３のいずれか一項に記載の動作を実行するよう１つ以上の発光要素を制御するように構成されるコードを含むコンピュータプログラム。
【発明の詳細な説明】
【技術分野】
【０００１】
本開示は、発光要素から明所視光及び暗所視光の期間(periods of photopic and scotopic light)を発する方法に関する。
【背景技術】
【０００２】
養鶏場では、ブロイラーチキン（肉生産のために特別に飼育及び繁殖させられる鶏）は、およそ２４時間の期間を持ち、２４時間サイクルごとに複数の暗所視光及び明所視光期間(scotopic and photopic periods of light)で構成される明暗サイクルの下で飼育される場合最適に成長する。暗所視光(scotopic light)は低レベルの光(low level light)であり、暗所視(scotopic vision)は、低光条件(low light conditions)下での目の視覚を指す。明所視光(photopic light)は十分に明るい光(well-lit light)であり、明所視(photopic vision)は、十分に明るい条件(well-lit conditions)下での目の視覚を指す。鶏は、主観的夜として１回の暗所視光期間（通常は最長）しか体感しない。明暗の漸進的な遷移は鶏にとってストレスが少なく、鶏がよりゆるやかで規則的に夜へ落ち着くのに役立つ。さらに、これは、鶏が主観的夜の前に食物摂取を増やすのを助ける。増加した薄暗がりの(crepuscular)摂食活動は、鶏が、夜の初めにフルクロップ(full crop)（消化前に食物の貯蔵に使用される消化管の薄肉拡張部(thin-walled expanded portion)）になることを確実にする。
【０００３】
米国特許出願公開第ＵＳ ２０１７ ／０ ２９０１２４ Ａ１号は、第１の複数のライトに供給される電圧を第１の閾値電圧まで増加させて第１の複数のライトを照明し、豚(swine)に影響を与える第１の色特性を有する第１の光を提供するように構成された１つ以上のコントローラを有する豚を照らすための制御システムを開示している。実施形態では、第１の光は、豚によって知覚されず、したがって、夜の状態をシミュレートする赤色光である。１つ以上のコントローラはまた、第２の複数のライトに供給される電圧を第２の閾値電圧まで増加させて第２の複数のライトを照明し、第１の色特性とは異なる第２の色特性を有する第２の光を提供するように構成される。実施形態では、第２の光は白色光である。１つ以上のコントローラはまた、第３の複数のライトに供給される電圧を第３の閾値電圧まで増加させて第３の複数のライトを照明し、豚が所定の挙動をとるように刺激する第３の色特性を有する第３の光を提供するように構成される。実施形態では、第３の光は、豚が食べるように刺激する青色光である。
【発明の概要】
【０００４】
本明細書に開示される第１の態様によれば、１つ以上の発光要素から光を発する方法であって、各発光要素は、それぞれの光を発するように制御可能であり、当該方法は、第１の明所視光の期間(first time period of photopic light)を発するステップ、その後、第１の暗所視光の期間(first time period of scotopic light)を発するステップ、その後、第２の明所視光の期間(second time period of photopic light)を発するステップ、及び、その後、第２の暗所視光の期間(second time period of scotopic light)を発するステップ、を含み、第１の明所視光の期間から第１の暗所視光の期間への第１の遷移は、第２の明所視光の期間から第２の暗所視光の期間への第２の遷移と比べて異なり、及び／又は、第１の暗所視光の期間から第２の明所視光の期間への第３の遷移は、第２の暗所視光の期間から第１の明所視光の期間若しくは第３の明所視光の期間(third time period of photopic light)への第４の遷移と比べて異なる、方法が提供される。
【０００５】
すなわち、明所視光と暗所視光の交互のシーケンスが、ある明所視光の期間から直後の対応する暗所視光の期間への遷移が、他の明所視光の期間からその直後の対応する暗所視光の期間への遷移と比べて異なるように発せられる。追加的又は代替的に、ある暗所視光の期間から直後の対応する明所視光の期間への遷移が、他の暗所視光の期間からその直後の対応する明所視光の期間への遷移と比べて異なる。
【０００６】
典型的な照明設備は、すべての暗所視期間に対して、１つのタイプの明から暗(light to dark)（夜明けから日暮れ(dawn to dusk)）又は暗から明(dark to light)（日暮れから夜明け(dusk to dawn)）への遷移しか使用しない。これは、鶏が、明から暗への遷移だけでは、どの暗所視期間が主観的夜(subjective night)であるかを確実に結論付けられないことを意味する。本明細書に開示される方法は、暗所視光の特定の期間（主観的夜）に対して、異なる明から暗（夜明けから日暮れ）又は暗から明への遷移を提供するので有利である。すなわち、鶏は、来たる暗所視期間が主観的夜であることを異なる遷移から結論付けることができる。
【０００７】
本明細書に述べられる例は、鶏が占める環境を照らすことに適用可能であるが、これらの例は、他の動物又は生物が占める環境を照らすことに等しく適用可能である。とりわけ、これらの例は、人、特に幼児が占める環境を照らすことにも適用できる。例えば、幼児は、主観的夜の始まりが生じようとするときを知ることから利益を得る。これは、最も長い暗所視光の期間に対する異なる遷移によって達成されることができる。
【０００８】
追加的に、より短い暗所視光の期間から明所視光へ遷移するのと比べて異なるように主観的夜から明所視光へ遷移することは、鶏又は他の斯かる生物が、主観的夜が終わったことを理解するのにさらに役立つ。例では、第４の遷移は、第３の遷移よりも長い期間にわたって生じてもよい。追加的又は代替的な例では、第４の遷移は、第３の遷移と比べて異なる強度及び／又はスペクトルプロファイルの光を含む。
【０００９】
ある例では、第１の遷移は、第１の遷移期間にわたって生じ、第２の遷移は、第２の、異なる遷移期間にわたって生じ、及び／又は、第３の遷移は、第３の遷移期間にわたって生じ、第４の遷移は、第４の、異なる遷移期間にわたって生じる。
【００１０】
ある例では、第２の遷移期間は、第１の遷移期間よりも大きい、及び／又は、第４の遷移期間は、第３の遷移期間よりも大きい。
【００１１】
これは、明所視光から主観的夜（例えば、最も長い暗所視光の期間）への遷移がよりゆるやかであり、したがって鶏又は他の生物にとってストレスが少ないため、有利である。
【００１２】
ある例では、第３の遷移は、第３の強度プロファイルの光を含み、第４の遷移は、第４の、異なる強度プロファイルの光を含む。
【００１３】
ある例では、第１の遷移は、第１のスペクトルプロファイルの光を含み、第２の遷移は、第２の、異なるスペクトルプロファイルの光を含む。
【００１４】
暗所視光から主観的夜へ遷移することが、異なるスペクトル及び／又は強度プロファイルの光を使用することは、主観的夜の到来の明確なシグナルを鶏又は他の生物に提供するのに役立つ。
【００１５】
ある例では、第３の遷移は、第３のスペクトルプロファイルの光を含み、第４の遷移は、第４の、異なるスペクトルプロファイルの光を含む。
【００１６】
ある例では、当該方法は、光サイクル(light cycle)を繰り返すステップを含み、繰り返される光サイクルは、少なくとも第１の明所視光の期間及び第２の明所視光の期間並びに第１の暗所視光の期間及び第２の暗所視光の期間を含む連続する明所視光及び暗所視光の期間(consecutive periods of photopic and scotopic light)を含む。
【００１７】
ある例では、第２の暗所視光の期間は、光サイクルごとに一回発せられる。
【００１８】
ある例では、光サイクルは、一日の期間にわたって発せられる。
【００１９】
すなわち、明所視光及び暗所視光の第１及び第２の期間は、例えば、一日（およそ２４時間）の期間にわたっる、繰り返される光サイクルの一部を形成する。ある例では、光サイクルは、追加的に、第３の明所視光の期間を含んでもよい。
【００２０】
光サイクルを繰り返すことは、鶏又は他の生物に対して記憶に残る光のリズムを提供する。有利には、第２の暗所視光の期間（主観的夜）を光サイクルごとに一回だけ発することは、鶏又は他の生物が当該第４の期間が主観的夜であることを理解するのにさらに役立つ。
【００２１】
ある例では、明所視光から暗所視光への第２の遷移は、明所視光及び暗所視光間の他のすべての遷移と比べて異なる。
【００２２】
ある例では、第２の暗所視光の期間は、第１の暗所視光の期間、並びに／又は、第１の明所視光の期間及び第２の明所視光の期間よりも大きい。
【００２３】
すなわち、一部の例では、主観的夜は、どの「デイタイム(daytime)」光の期間よりも長い。
【００２４】
ある例では、期間は、エンドユーザによってプログラム可能である。
【００２５】
有利には、期間は、例えば中央制御システム又は遠隔制御を介して、ユーザ定義及び更新されることができる。例えば、主観的夜は、実世界の夜の継続時間の変化を反映するために冬の数か月間に増加されてもよい。一例として、主観的夜は、冬至のあたりで増加されてもよい。
【００２６】
ある例では、明所視光及び暗所視光は、それぞれ人の明所視範囲及び暗所視範囲(human photopic vision and scotopic vision ranges)に対応する。
【００２７】
すなわち、有利には、明所視光及び暗所視光は、実世界の光条件を模倣して、平均的な人の明所視光及び暗所視光にそれぞれ対応するように設定されてもよい。ある例では、明所視光及び暗所視光は、それぞれ（新生児の）赤ちゃん又は幼児の視覚に対応する。本発明者らは、本明細書に述べられる方法はまた、例えば新生児集中治療室の赤ちゃんにとって、新生児がより簡単に眠る（又は眠りにつく）のを助けるために有用であり得ることを認識した。ある例では、明所視光及び暗所視光は、それぞれ平均的な高齢者（例えば認知症のある人）の明所視及び暗所視に対応してもよい。
【００２８】
ある例では、明所視光及び暗所視光は、それぞれ鶏の明所視範囲及び暗所視範囲に対応する。
【００２９】
すなわち、有利には、明所視光及び暗所視光は、実世界の光条件を模倣して、鶏の明所視光及び暗所視光にそれぞれ対応するように設定されてもよい。これは、鶏に自然環境を提供するのに役立つ。ある例では、明所視光及び暗所視光は、それぞれ動物（例えば、羊、牛、豚）の明所視及び暗所視に対応する。
【００３０】
ある例では、１つ以上の発光デバイスから発せられる光は、光学的な光(optical light)である。
【００３１】
ある例では、１つ以上の発光デバイスから発せられる光は、赤外光又は紫外光である。
【００３２】
本明細書に開示される第２の態様によれば、１つ以上の発光要素を含む照明システムであって、各発光要素は、それぞれの光を発するように制御可能であり、
第１の明所視光の期間を発する、
その後、第１の暗所視光の期間を発する、
その後、第２の明所視光の期間を発する、及び
その後、第２の暗所視光の期間を発する、
ように構成され、第１の明所視光の期間から第１の暗所視光の期間への第１の遷移は、第２の明所視光の期間から第２の暗所視光の期間への第２の遷移と比べて異なり、及び／又は、第１の暗所視光の期間から第２の明所視光の期間への第３の遷移は、第２の暗所視光の期間から第１の明所視光の期間若しくは第３の明所視光の期間への第４の遷移と比べて異なる、照明システムが提供される。
【００３３】
本明細書に開示される第３の態様によれば、コンピュータ可読ストレージに具現化され、制御システムの１つ以上の処理ユニットで実行される場合、本明細書に開示される任意の方法のステップによる動作を実行するよう１つ以上の発光要素を制御するように構成されるコードを含むコンピュータプログラムが提供される。
【図面の簡単な説明】
【００３４】
本開示の理解を支援するために、及び、どのようにして実施形態が実施され得るかを示すために、例として、添付の図面が参照される。
【図１】図１は、環境を照らすための照明システムを含む環境を概略的に示す。
【図２】図２は、照明システムを制御するための制御システムのブロック図を概略的に示す。
【図３ａ】図３ａは、第１の例の光サイクルを概略的に示す。
【図３ｂ】図３ｂは、第２の例の光サイクルを概略的に示す。
【図４】図４は、明所視及び暗所視の光度関数の例を示す。
【発明を実施するための形態】
【００３５】
典型的な照明システムは、すべての暗所視期間に対して、１種類の夜明け／日暮れ（夜明け及び／又は日暮れ）の遷移(dawn/dusk (dawn and/or dusk) transition)しか使用しない。遷移が同じ種類であることに起因して、鶏は、夜明け／日暮れの遷移だけでは、どの暗所視期間が主観的夜であると結論付けることができない。これは、鶏にとってストレスとなり、最適な成長を妨げ得る。
【００３６】
本明細書に開示される発明は、長い暗期間及び短い暗期間に対して異なる夜明け／日暮れの遷移を使用するおよそ２４時間の明暗サイクルを実施することができる照明デバイス又はシステムに関する。夜明け／日暮れの遷移は、持続時間（例えば、１時間の暗所視期間に対して５分、及び４時間の暗所視期間、すなわち主観的夜に対して３０分）及び／又はそれらのダイナミクス（例えば、強度、スペクトル等）で異なることができる。
【００３７】
本発明は、ストレスの少ない遷移期間を提供し、日中の標準的な暗所視期間とは対照的に主観的夜の到来時（又は主観的夜からの逸脱時）により明確なシグナルを鶏に与える。
【００３８】
本発明は、養鶏に有益であるだけでなく、病院、例えば新生児集中治療室で使用されることもできる。
【００３９】
図１は、本明細書に開示される実施形態が使用され得る例示的な環境１００を示す。環境１００は、１人以上のユーザ１０２及び／又は鶏１０４等の１匹以上の動物によって占有され得る空間である。環境１００は、家、オフィス又は小屋(barn)若しくはファームハウス(farmhouse)等の他の建物の１つ以上の部屋等の屋内空間、庭又は公園等の屋外空間、ガゼボ等の部分的に覆われた空間、又は屋内空間及び屋外空間の両方を含む農場等のそのような空間の組み合わせであってもよい。
【００４０】
環境１００は、環境１００内の異なる場所に設置又は配置される複数の発光要素（又は光源又は照明器具）１０６を備える。発光要素１０６は、アンビエント照明又はタスク照明のどちらを提供するかにかかわらず、ユーザ１０２又は動物１０４によって占められる環境又は環境の一部を照らための任意の種類の発光デバイスを指してもよい。発光要素１０６の各々は、天井若しくは壁に取り付けられた照明器具、自立式のフロア若しくはテーブル光源１０６、ポール、ガントリ(gantry)若しくはリギング(rigging)に取り付けられた光源１０６、又は家具若しくは家具の表面に埋設される光源１０６等のそれほど伝統的ではない形態等、様々な可能な形態の任意のものをとってもよい（環境１００内の異なる光源１０６は、互いに同じ形態を取る必要はない）。代替的に、発光要素は、ヘッドマウントグラス又は発光コンタクトグラスの形態をとってもよい。どのような形態をとっても、各発光要素１０６は、少なくとも１つのランプ（光要素）と、任意の関連するハウジング、ソケット及び／又はサポートとを備える。適切なランプの例には、ＬＥＤベースのランプ、又は従来のフィラメント電球若しくはガス放電ランプが含まれる。
【００４１】
あるシナリオでは、環境１００は、各々が１つ以上の発光要素１０６の異なるそれぞれのサブセットによって照らされる、異なる部屋等の複数の異なるゾーン又は場所（図示せず）に分割されてもよい。例えば、異なるゾーンは、ファームハウス又は鶏舎の異なるセクションに関連してもよい。別の例では、異なるゾーンは、病院の異なる部屋又はセクションに関連してもよい。
【００４２】
環境１００はまた、１つ以上の照明制御デバイス１０８を備えてもよい。照明制御デバイス１０８の各々は、スマートライトスイッチ、調光スイッチ等のスタンドアロンの照明制御デバイス１０８、又はスマートフォン若しくはタブレット等のモバイルユーザ端末、さらにはユーザに着用され得るウェアラブルデバイス等の他のユーザデバイスに統合される照明制御デバイス１０８の形態をとってもよい。例えば、ユーザ端末には、適切な照明制御アプリがインストールされてもよい。照明制御デバイス１０８は、主電源から電力を供給されてもよく、バッテリから電力を供給されてもよく、又はエネルギハーベスティング技術を使用してそのエネルギを供給してもよい。照明制御デバイス１０８は、環境１００内の１つ以上の発光要素１０６によって発せられる光を制御できるように構成される。これには、発光要素１０６のオン／オフの切り替え、光の色の制御、調光レベルの制御、光の時間的に変化する効果の制御、光の空間的に変化する効果の制御、又は環境１００内の発光要素１０６に適用可能であり得る光の他の側面の調整が含まれてもよい。環境１００はまた、中央照明ブリッジ１１０を備えてもよい。
【００４３】
図２は、ユーザ１０２が、ユーザ１０２から照明制御デバイス１０８への１つ以上の入力及び／又は発光要素１０６の光状態に基づいて、発光要素１０６のうちの１つ以上の発光要素からの光を制御することを可能にする制御システム２００を示す。これは、ユーザ１０２が照明制御デバイス１０８にコマンドを入力するのと同じ環境１００の部分又は環境１００の異なる部分の光を制御することであってもよい。
【００４４】
データベース２１０が図２に示されている。データベースは、１つ以上の発光要素１０６に関連する１つ以上の設定を格納するように構成される。例えば、データベース２１０は、プログラム設定、又は明所視光期間及び暗所視光期間並びに本明細書で詳述されるそれらの期間間の遷移を定義する設定を格納してもよい。データベース２１０は、照明制御デバイス１０８、中央照明ブリッジ１１０、サーバ、又は１つ以上の発光要素１０６に格納されてもよい。
【００４５】
照明制御デバイス１０８は、ユーザ１０２から入力を受けるように構成され、コントローラ２０４に動作可能に結合されるユーザインターフェース２０２を備える。ユーザインターフェース２０２は、スクリーンの形態のディスプレイ及びユーザから入力を受けるための手段を備えてもよい。例えば、ユーザインターフェース２０２は、タッチスクリーン、又はマウス、トラックパッド、若しくはトラッカボール(tracker ball)等を含むポイントアンドクリックユーザインターフェースを含んでもよい。代替的又は追加的に、ユーザインターフェース２０２は、環境１００内の発光要素１０６を制御するための専用アクチュエータ又は制御パネルを備える専用照明制御ユニットを備えてもよい。例えば、照明制御デバイス１０８は、例えば、専用制御ユニットの１つ以上のボタン、スライダ、スイッチ及び／又はダイヤルを使用することによって、ユーザ１０２によって手動で操作され得る専用制御ユニット（有線又は無線）の形態であってもよい。
【００４６】
代替的又は追加的に、ユーザインターフェース２０２は、ユーザからの音声コマンドを受けるためのマイクロフォンを備えてもよい。別の例では、ユーザインターフェース２０２は、ユーザからのジェスチャコマンドを検出するためのカメラ、赤外線検出器等を備えてもよい。
【００４７】
照明制御デバイス１０８は、ユーザのコマンドの指示を受けるためにユーザインターフェース２０２に結合されるコントローラ２０４を備える。コントローラ２０４はまた、無線トランシーバ２０８を介して、図１に関連して論じられた１つ以上の発光要素１０６を備える照明システム２０６に動作可能に結合される。これにより、コントローラ２０４は、特定のプログラムを選択するために識別されたコマンドに基づいて照明システム２０６を制御することができる。例えば、ユーザ１０２は、異なる時間スケールのプログラムの間で選択してもよく、例えば、第１のプログラムは、本発明に従って２４時間の期間にわたって明所視光及び暗所視光の期間を発してもよく、第２のプログラムは、１２時間の期間にわたって光の期間を発してもよい。コントローラ２０４は、例えばユーザインターフェース２０２への入力に応答して、データベース２１０から１つ以上の設定を取得するように構成される。
【００４８】
ある実施形態では、コントローラ２０４は、メモリに格納され、プロセッサでの実行のために構成されるソフトウェアの形態で実装される（ソフトウェアが格納されるメモリは、ＥＥＰＲＯＭ又は磁気ドライブ等の１つ以上の記憶媒体を使用する１つ以上のメモリユニットを含み、ソフトウェアが実行されるプロセッサは、１つ以上の処理ユニットを含む）。代替的に、コントローラ２０４の一部又はすべてが、専用ハードウェア回路、又はＰＧＡ若しくはＦＰＧＡ等のコンフィギュラブル若しくはリコンフィギュラブルなハードウェア回路で実装され得ることが除外されるものではない。それがとる形態が何であれ、ある実施形態では、コントローラ２０４は、単一の照明制御デバイス１０８内に、ユーザインターフェース２０２及び無線トランシーバ２０８と共に、すなわち、同じハウジング内に実装されてもよい。代替的に、コントローラ２０４は、部分的又は全体的に、１つ以上の地理的サイト（図示せず）に１つ以上のサーバユニットを含むサーバ又は中央照明ブリッジ１１０等、外部に実装されてもよい。
【００４９】
コントローラ２０４は、本明細書で開示される照明制御デバイス１０８の動作(action)の一部又はすべてを実行するように構成されてもよい。例えば、コントローラ２０４は、ユーザインターフェース２０２を介してユーザコマンドを受けるように構成される。コントローラ２０４はまた、ワイヤレストランシーバ２０８を介して環境１００内の１つ以上の発光要素１０６と通信するように構成される、及び／又は、該当する場合、コントローラ２０４はまた、ワイヤレストランシーバ２０８を介してサーバ又は中央照明ブリッジ１１０と通信するように構成される。
【００５０】
照明制御デバイス１０８は、任意の適切なワイヤレス媒体を介して通信するためのワイヤレストランシーバ２０８、例えば、無線チャネル(radio channel)を介して通信するための無線トランシーバ(radio transceiver)を備える（しかしながら、他の形態、例えば超音波又は赤外線トランシーバが除外されるものではない）。ワイヤレストランシーバ２０８は、発光要素１０６と通信するためのＷｉ−Ｆｉ、ＺｉｇＢｅｅ、Ｂｌｕｅｔｏｏｔｈ、Ｔｈｒｅａｄ等のインターフェースを備えてもよい。各発光要素１０６は、本明細書で開示されるそれぞれの制御操作を実行するためにワイヤレスチャネル、好ましくは無線チャネルを介して通信することができるように構成される（しかしながら、可視光通信、超音波又は赤外線等の他の媒体の可能性が除外されるものではない）。例えば、無線チャネルは、ＺｉｇＢｅｅ、Ｂｌｕｅｔｏｏｔｈ、Ｗｉ−Ｆｉ、Ｔｈｒｅａｄ、ＪｕｐｉｔｅｒＭｅｓｈ、Ｗｉ−ＳＵＮ、６ＬｏＷＰＡＮ等の無線アクセス技術に基づいていてもよい。無線チャネルは、発光要素１０６を制御するために照明制御デバイス１０８によって使用されることができる。
【００５１】
代替的又は追加的に、有線接続、例えばＥｔｈｅｒｎｅｔ又はＤＭＸ接続が、制御目的で中央デバイス１０８と発光要素１０６との間に提供され得ることが除外されるものでもない。
【００５２】
代替的に、ワイヤレストランシーバ２０８は、例えばローカルエリアネットワーク又はインターネット等のワイドエリアネットワークを介して、サーバ又は中央照明ブリッジ１１０を介して発光要素１０６と通信してもよい。照明制御デバイス１０８から直接コマンドを受信する場合、発光要素１０６は各々、制御デバイス１０８に直接接続するためのそれぞれのワイヤレス受信機又はトランシーバ（図示せず）を備える。代替的に、発光要素１０６は各々、サーバ又は中央照明ブリッジ１１０と通信するための有線又はワイヤレス接続を有してもよい。発光要素１０６は、ワイヤレス接続を介してサーバ又は中央照明ブリッジ１１０を介して制御コマンドを受けてもよい。
【００５３】
ある実施形態では、サーバ又は中央照明ブリッジ１１０の機能性は、メモリに格納され、プロセッサでの実行のために構成されるソフトウェアの形態で実装される（ソフトウェアが格納されるメモリは、ＥＥＰＲＯＭ又は磁気ドライブ等の１つ以上の記憶媒体を使用する１つ以上のメモリユニットを含み、ソフトウェアが実行されるプロセッサは、１つ以上の処理ユニットを含む）。代替的に、サーバ又は中央照明ブリッジ１１０の機能性の一部又はすべてが、専用ハードウェア回路、又はＰＧＡ若しくはＦＰＧＡ等のコンフィギュラブル若しくはリコンフィギュラブルなハードウェア回路で実装され得ることが除外されるものではない。また、サーバ又は中央照明ブリッジ１１０は、環境１００内でローカルに、又は遠隔ロケーションに実装されてもよく、１つ以上の地理的サイトに１つ以上の物理ユニットを備えてもよいことにも留意されたい。
【００５４】
中央照明ブリッジ１１０は、ワイヤレストランシーバを含んでもよい。ワイヤレストランシーバは、ローカル及び／又はワイドエリアネットワークを介して発光要素１０６、照明制御デバイス１０８、中央照明ブリッジ１１０又はサーバと通信するためのＷｉ−Ｆｉ、ＺｉｇＢｅｅ、Ｂｌｕｅｔｏｏｔｈ、Ｔｈｒｅａｄ等のインターフェースを備えてもよい。例えば、無線チャネルは、ＺｉｇＢｅｅ、Ｂｌｕｅｔｏｏｔｈ、Ｗｉ−Ｆｉ、Ｔｈｒｅａｄ、ＪｕｐｉｔｅｒＭｅｓｈ、Ｗｉ−ＳＵＮ、６ＬｏＷＰＡＮ等の無線アクセス技術に基づいていてもよい。代替的又は追加的に、ある実施形態では、中央照明ブリッジ１１０は、発光要素１０６、照明制御デバイス１０８、中央照明ブリッジ１１０又はサーバと通信するための有線接続を有してもよい。
【００５５】
ある例では、照明制御デバイス１０８に位置することに代わり、コントローラ２０４は、全体的又は部分的に、中央照明ブリッジ１１０又はサーバに位置してもよい。
【００５６】
物理インフラストラクチャの観点からの実装が何であれ、制御デバイス１０８、ブリッジ１１０又はサーバにおけるコントローラ２０４は、以下に従って発光要素１０６を制御するように構成されてもよい。
【００５７】
図３ａは、第１の例の光サイクル(light cycle)３００を概略的に示す。光サイクル３００は、（白い領域として示される）複数の明所視期間及び（黒い領域として示される）複数の暗所視期間を含む。第１の例の光サイクル３００は、第1の明所視光の期間３０１、第１の暗所視光の期間３０２、第２の明所視光の期間３０３、第２の暗所視光の期間３０４、及び（任意選択的に）第３の明所視光の期間３０５を含む。図３ａに示されるように、第１の光サイクル３００は、より長い暗所視期間を含む。これは、主観的夜３０４である。
【００５８】
図３ｂは、第２の例の光サイクル３１０を概略的に示す。第２の例の光サイクル３１０は、第１の明所視光の期間３０１、第１の暗所視光の期間３０２、第２の明所視光の期間３０３、及び第２の暗所視光の期間３０４を含む。さらに、第２の例の光サイクルは、追加の明所視光の期間３０６及び追加の暗所視光の期間３０７を含む。
【００５９】
例では、環境１００は、１つ以上の発光要素１０６によって照らされてもよい。環境１００は、第１の明所視光の期間に明所視光３０１を発することにより、その後、第１の暗所視光の期間に暗所視光３０２を発することにより、その後、第２の明所視光の期間に明所視光３０３を発することにより、及び、その後、第２の暗所視光の期間に暗所視光３０４を発することにより照らされてもよい。第１及び第２の期間は、等しくてもよく、異なってもよい。
【００６０】
例では、第２の暗所視光の期間は、第１の暗所視光の期間よりも大きい。第２の期間は、認識できるほど(discernibly)大きいように第１の期間よりも実質的に大きくてもよい。例えば、第２の期間は４時間であってもよく、第１の期間は１時間であってもよい。第２の期間は４時間より長くても短くてもよく、第１の期間は１時間より長くても短くてもよいことが理解されよう。代替的に、第１及び第２の期間は、上述したように、等しくてもよい。
【００６１】
例では、第２の暗所視光の期間は、第１及び／又は第２の明所視光の期間よりも大きくてもよい。例えば、主観的夜３０４は、（低レベルではあるが）連続した光の最も長い期間であってもよい。例では、第２の暗所視光の期間は、第１及び／又は第２の明所視光の期間よりも小さくてもよい。例えば、明所視光の期間は、連続した光の最も長い期間（例えば、主観的昼(subjective day)）であってもよい。
【００６２】
明所視光とは、明所視（十分に明るい条件又は高い周囲光レベルの下での目の視覚）をもたらし、通常は色覚を可能にする光を指す。明所視光の例は、日光条件(daylight conditions)である。明所視は、典型的には、網膜の錐体によって媒介される。典型的には、人の明所視光は、３０ルクス（ｌｘ）を超える照度（又は例えば３ｃｄ／ｍ２を超える輝度）を有する光を意味する。異なる動物種間の視覚系の違いに起因して、この境界(limit)は、動物間で異なり得る。
【００６３】
暗所視光とは、暗所視（低光条件又は低い周囲光レベルの下での目の視覚）をもたらす光を指す。暗所視光の例は、夜間条件(night-time conditions)である。暗所視は、典型的には、網膜の桿体によって媒介される。典型的には、人の暗所視光は、数ルクス（ｌｘ）（例えば、１ルクス（ｌｘ））より低い照度又は例えば０．００３ｃｄ／ｍ２より低い輝度を有する光を意味する。異なる動物種間の視覚系の違いに起因して、この境界は、動物間で異なり得る。
【００６４】
例では、明所視光は、明るさ(brightness)、強度プロファイル(intensity profile)及びスペクトルプロファイルのうちの少なくとも１つで暗所視光とは異なる。例では、明所視光は、暗い環境をもたらす暗所視光より明るい環境をもたらす。
【００６５】
例では、明所視光及び／又は暗所視光の期間中に発せられる光は、時間、空間、及び／又はそれらの特性（例えば強度）の点で変化してもよい。例では、これらの期間中に発せられる光は、一定であってもよい。
【００６６】
例において、第１の期間３０１及び第２の期間３０３に発せられる明所視光は、同じ特性（例えば、明るさ、色）を有してもよい。代替的に、これらの期間に発せられる明所視光は、異なってもよい。
【００６７】
例において、第１の期間３０２及び第２の期間３０４に発せられる暗所視光は、同じ特性（例えば、明るさ、色）を有してもよい。代替的に、これらの期間に発せられる暗所視光は、異なってもよい。例えば、第２の暗所視光の期間３０４は、第１の暗所視光の期間３０２よりも知覚的に暗くてもよい。
【００６８】
例では、明所視光から暗所視光への第１の遷移は、明所視光から暗所視光への第２の遷移と比べて異なる。例えば、明所視光から暗所視光への遷移は、平均明所視光及び平均暗所視光の期間の間の１つ以上の発光要素１０６によって発せられる光の任意の状態を指してもよい。別の例では、明所視光から暗所視光への遷移は、ピーク明所視光及びピーク暗所視光の期間の間の１つ以上の発光要素１０６によって発せられる光の任意の状態を指してもよい。
【００６９】
第１及び第２の遷移は単なるラベルであり、明示的に述べられている以外の遷移の順序を暗に意味するものではないことに留意されたい。
【００７０】
第１の遷移は第１の遷移期間にわたって生じ、第２の遷移は第２の、異なる遷移期間にわたって生じる。好ましい例では、第２の遷移期間は、第１の遷移期間よりも大きくてもよい。例えば、第２の遷移期間は３０分であってもよく、第１の遷移期間は５分であってもよい。代替的に、第２の遷移期間は、第１の遷移期間と等しくてもよい。別の代替例では、第２の遷移期間は、第１の遷移期間よりも小さくてもよい。
【００７１】
一部の例では、明所視光から暗所視光への第１の遷移及び明所視光から暗所視光への第２の遷移は、持続時間においてのみ異なる、すなわち、第１及び第２の遷移期間のみが異なる。
【００７２】
しかしながら、好ましい例では、第１の遷移は、第１の強度プロファイルの光を含み、第２の遷移は、第２の、異なる強度プロファイルの光を含み、第１の強度プロファイルは、第２の強度プロファイルと比べて異なる。（光）強度プロファイル(luminous) intensity profile)は、１つ以上の発光要素１０６によって発せられる光の明るさを特徴付けてもよい。第１及び第２の強度プロファイルは、時間及び／又は空間の点で変化してもよい。例えば、第２の遷移は、日暮れとして知覚される第２の強度プロファイルを含んでもよい。
【００７３】
代替例では、第１の強度プロファイルは、第２の強度プロファイルと等しい。
【００７４】
例では、明所視光から暗所視光への第１の遷移及び明所視光から暗所視光への第２の遷移は、強度プロファイルにおいてのみ異なる、すなわち、第１及び第２の強度プロファイルのみが異なる。
【００７５】
好ましい例では、第１の遷移は、第１のスペクトルプロファイルの光を含み、第２の遷移は、第２の、異なるスペクトルプロファイルの光を含む。例では、第１のスペクトルプロファイルは、第２のスペクトルプロファイルと比べて異なる。スペクトルプロファイルは、１つ以上の発光要素１０６によって発せられる光の色を特徴付けてもよい。例えば、第１の遷移は、（可視）電磁スペクトルの第１の部分の光を含んでもよく、第２の遷移は、（可視）電磁スペクトルの第２の部分の光を含んでもよい。第１及び第２のスペクトルプロファイルは、時間及び／又は空間の点で変化してもよい。
【００７６】
例では、明所視光から暗所視光への第１の遷移及び明所視光から暗所視光への第２の遷移は、スペクトルプロファイルにおいてのみ異なる、すなわち、第１及び第２のスペクトルプロファイルが異なる。
【００７７】
代替例では、明所視光から暗所視光への第１の遷移及び明所視光から暗所視光への第２の遷移は、持続時間、スペクトルプロファイル及び強度プロファイルの任意の組み合わせにおいて異なってもよい。例えば、持続時間及びスペクトルプロファイル、持続時間及び強度プロファイル、スペクトルプロファイル及び強度プロファイル、又は、持続期間、スペクトルプロファイル及び強度プロファイルにおいて異なってもよい。
【００７８】
例では、第２の暗所視光の期間を発した後、明所視光が、第３の期間３０５に１つ以上の発光要素１０６によって発せられる。例では、第３の期間は、第１及び／又は第２の明所視光の期間と等しい。他の例では、第３の期間は、第１及び／又は第２の明所視光の期間と等しくない。
【００７９】
例では、第１の暗所視光の期間３０２と第２の明所視光の期間３０３との間の暗所視光から明所視光への第３の遷移は、第２の暗所視光の期間３０４と第１の明所視光の期間３０１又は第３の明所視光の期間３０５との間の暗所視光から明所視光への第４の遷移と比べて異なる。
【００８０】
第３の遷移は第３の遷移期間にわたって生じ、第４の遷移は第４の、異なる遷移期間にわたって生じる。好ましい例では、第４の遷移期間は、第３の遷移期間よりも大きくてもよい。例えば、第４の遷移期間は３０分であってもよく、第３の遷移期間は５分であってもよい。代替的に、第４の遷移期間は、第３の遷移期間と等しくてもよい。別の代替例では、第４の遷移期間は、第３の遷移期間よりも小さくてもよい。例では、第１及び第３の遷移期間は等しくてもよい。さらなる例では、第２及び第４の遷移期間は等しくてもよい。別の例では、第１、第２、第３又は第４の遷移期間は等しくない。
【００８１】
一部の例では、暗所視光から明所視光への第３の遷移及び暗所視光から明所視光への第４の遷移は、持続時間においてのみ異なる、すなわち、第３及び第４の遷移期間のみが異なる。
【００８２】
しかしながら、好ましい例では、第３の遷移は、第３の強度プロファイルの光を含み、第４の遷移は、第４の強度プロファイルの光を含み、第３の強度プロファイルは、第４の強度プロファイルと比べて異なる。第３及び第４の強度プロファイルは、時間及び／又は空間の点で変化してもよい。例では、第１及び第３の強度プロファイルは等しくてもよい。さらなる例では、第２及び第４の強度プロファイルは等しくてもよい。代替例では、第１、第２、第３又は第４の強度プロファイルは等しくない。さらなる代替例では、第３の強度プロファイルは、第４の強度プロファイルと等しい。
【００８３】
例では、暗所視光から明所視光への第３の遷移及び暗所視光から明所視光への第４の遷移は、強度プロファイルにおいてのみ異なる、すなわち、第３及び第４の強度プロファイルのみが異なる。
【００８４】
好ましい例では、第３の遷移は、第３のスペクトルプロファイルの光を含み、第４の遷移は、第４のスペクトルプロファイルの光を含む。例では、第３のスペクトルプロファイルは、第４のスペクトルプロファイルと比べて異なる。第３及び第４のスペクトルプロファイルは、時間及び／又は空間の点で変化してもよい。例では、第１及び第３のスペクトルプロファイルは等しくてもよい。さらなる例では、第２及び第４のスペクトルプロファイルは等しくてもよい。代替例では、第１、第２、第３又は第４のスペクトルプロファイルは等しくない。さらなる代替例では、第３のスペクトルプロファイルは、第４のスペクトルプロファイルと等しい。
【００８５】
例では、暗所視光から明所視光への第３の遷移及び暗所視光から明所視光への第４の遷移は、スペクトルプロファイルにおいてのみ異なる、すなわち、第３及び第４のスペクトルが異なる。
【００８６】
代替例では、暗所視光から明所視光への第３の遷移及び暗所視光から明所視光への第４の遷移は、持続時間、スペクトルプロファイル及び強度プロファイルの任意の組み合わせにおいて異なってもよい。例えば、持続時間及びスペクトルプロファイル、持続時間及び強度プロファイル、スペクトルプロファイル及び強度プロファイル、又は、持続期間、スペクトルプロファイル及び強度プロファイルにおいて異なってもよい。
【００８７】
好ましい例では、１つ以上の発光要素１０６は、連続する明所視光及び暗所視光の期間を含む繰り返される光サイクルを発してもよい。一例の光サイクルは、図３ａに示されている。繰り返される光サイクルは、少なくとも第１及び第２の明所視光及び暗所視光の期間３０１〜３０４（すなわち、第１の明所視光の期間３０１、第２の明所視光の期間３０３、第１の暗所視光の期間３０２及び第２の暗所視光の期間３０４）を含む。
【００８８】
例では、光サイクルは、追加的に、第３の明所視光の期間３０５を含んでもよい。
【００８９】
好ましい例では、第１及び第２の明所視光及び暗所視光の期間は隣接する(contiguous)。すなわち、それらは、第１の暗所視光の期間が第１の明所視光の期間の直後に続き、第２の明所視光の期間が第１の暗所視光の期間の直後に続く等々のように「立て続け」("back-to-back")である。
【００９０】
一部の例では、第３の明所視光の期間は、第２の暗所視光の期間と隣接する。
【００９１】
代替例では、発光要素１０６は、繰り返される光サイクルを発しない。さらなる例では、光サイクルは繰り返さない。すなわち、単一の光サイクルが発せられもよい。
【００９２】
例では、第２の期間（主観的夜）に発せられる暗所視光３０４は、光サイクルごとに１回発せられる。これらの例では、明所視光から暗所視光への第２の遷移は、光サイクルごとに１回だけ生じる。
【００９３】
光サイクルが第３の明所視光の期間３０５を含む例では、暗所視光から明所視光への第４の遷移は、光サイクルごとに１回だけ生じてもよい。
【００９４】
好ましい例では、光サイクルは一日である。光サイクルは正確に、又はおよそ２４時間であってもよい。代替例では、光サイクルは、一日より長くてもよく、短くてもよい。例えば、光サイクルは、２４時間ごとに２回繰り返してもよい。別の例では、光サイクルは、２０時間及び２８時間の間であってもよい。
【００９５】
例えば、図３ｂの光サイクルは、４時間の明所視光（４Ｐ）、続いて３時間の暗所視光（３Ｓ）、続いて２時間の明所視光（２Ｐ）及び２時間の暗所視光（２Ｓ）、３時間の明所視光（３Ｐ）、１時間の暗所視光（１Ｓ）、５時間の明所視光（５Ｐ）並びに４時間の暗所視光（４Ｓ）からなる２４時間の連続する明所視光及び暗所視光の期間を含む。その後、光サイクルは繰り返す。この例では、４Ｓは、図３ｂでは主観的夜３０４と呼ばれる、第２の暗所視光の期間である。他の例では、繰り返しサイクルは、２４時間より長くてもよく、短くてもよい（例えば、２５時間、２２時間、１２時間又は４８時間）。ある例では、明所視光及び暗所視光の期間は、同じ持続時間を有してもよい。例えば、光サイクルは、２Ｐ、２Ｓ、２Ｐ、２Ｓ、２Ｐ、２Ｓ、６Ｐ及び６Ｓからなってもよい。
【００９６】
図４は、例示の暗所視の光度関数（灰色）４０２と明所視の光度関数（黒色）４０４を示している。明所視関数４０４には、ＣＩＥ １９３１標準（実線）、Ｊｕｄｄ−Ｖｏｓ １９７８修正データ（破線）、Ｓｈａｒｐｅ、Ｓｔｏｃｋｍａｎ、Ｊａｇｌａ＆Ｊaｇｌｅ２００５データ（点線）が含まれている。
【００９７】
例では、期間は、エンドユーザ１０２によってプログラム可能である。例えば、エンドユーザ１０２は、期間のうちの１つ以上をプログラムするために照明制御デバイス１０８を使用してもよい。例では、遷移期間は、エンドユーザ１０２によってプログラム可能であってもよい。例では、明所光の期間３０１及び３０３、暗所光の期間３０２及び３０４、並びに／又は遷移期間中に発せられる光の特性が、エンドユーザ１０２によってプログラム可能であってもよい。例えば、エンドユーザ１０２は、所望の明るさ、色、光シーン(light scene）等を設定してもよい。
【００９８】
代替例では、エンドユーザ１０２は、期間又は光特性を初期設定から変更できなくてもよい。
【００９９】
例では、明所視光及び暗所視光は、それぞれ平均的な人の明所視範囲及び暗所視範囲に対応する。例えば、明所視光の輝度レベル（光度）は、およそ１ｃｄ／ｍ２及び１０８ｃｄ／ｍ２の間であってもよく、暗所視光の輝度レベルは、およそ１０−６ｃｄ／ｍ２及び１０−３．５ｃｄ／ｍ２の間であってもよい。
【０１００】
代替例では、明所視光及び暗所視光は、それぞれ平均的な鶏の明所視範囲及び暗所視範囲に対応する。
【０１０１】
さらなる代替例では、明所視光及び暗所視光は、特定の動物の明所視及び暗所視に対応するようにエンドユーザ１０２によってプログラムされてもよい。
【０１０２】
例では、エンドユーザ１０２は、人の視覚及び鶏の視覚のうちの少なくとも一方に対応する明所視光及び暗所視光を発するように（例えば、照明制御デバイス１０８を使用して）１つ以上の発光要素１０６によって発せられる光を設定してもよい。
【０１０３】
上述の方法は、それぞれ明所視及び暗所視をもたらす明所視光及び暗所視光の範囲内の任意の明るさレベルの明所視光及び暗所視光に適用されることができる。
【０１０４】
例では、１つ以上の発光要素１０６は、単一のタイプの発光ダイオード（ＬＥＤ）又は複数のタイプのＬＥＤであってもよい。例では、ＬＥＤは、蛍光体変換ＬＥＤ又はダイレクトＬＥＤ(direct LED)であってもよく、紫外から赤外の範囲内の光を発してもよい。発光要素１０６は、ＬＥＤ以外の発光要素であってもよいことを理解されたい。
【０１０５】
図面、本開示、及び添付の請求項の検討によって、開示される実施形態に対する他の変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。コンピュータプログラムは、他のハードウェアと共に、又は他のハードウェアの一部として供給される、光学記憶媒体又は固体媒体等の、好適な媒体において記憶／頒布されてもよいが、インターネット、又は他の有線若しくは無線の電気通信システム等を介して、他の形態で頒布されてもよい。請求項中のいかなる参照符号も、範囲を限定するものとして解釈されるべきではない。
【図１】
2021501971.tif 000002
【図２】
2021501971.tif 000003
【図３ａ】
2021501971.tif 000004
【図３ｂ】
2021501971.tif 000005
【図４】
2021501971.tif 000006
【国際調査報告】
2021501971.tif 000007
2021501971.tif 000008